(57)【特許請求の範囲】
【請求項１】
シート型材料の一以上の層（１２）上でワークオペレーションを実行するためのコンベヤ装置（１０）であって、
フレーム（１４）と、前記コンベヤ装置と連関する制御装置であって、前記シート型材料上で実行するワークオペレーション制御用の機械読取り可能なデータを格納する制御装置とを有するコンベヤ装置において、
前記フレーム（１４）の長手方向に動くように結合され、その長手方向に平行でかつ相互に離間した少なくとも三つのたわみ前進部材（２２）と、
スラットであって、前記フレーム（１４）の長手方向を横切ってのび且つ前記フレーム（１４）の長手方向に沿って相互に連続して配置され、各々が第一上面部（２６）と、前記たわみ前進部材（２２）のそれぞれに結合する第二下面部（２８）とを有し、前記第一上面部（２６）がシート型材料の一以上の層（１２）を運搬する支持面（２８）を集合的に構成する複数のスラット（２４）と、
前記制御装置から出された命令に応じて、前記フレーム（１４）の長手方向の前後を選択して前記たわみ前進部材（２２）及び前記複数のスラット（２４）を選択方向に動かす駆動手段と、
少なくとも三つの前進部材用案内部材（３８）とを有し、前記案内部材は、前記フレーム（１４）に据え付けられ、その長手方向に沿って伸張し、各案内部材が前記複数のスラット（２４）の前記第二下面部を直接支持する上方面（４０）を形成することを特徴とするコンベヤ装置。
【請求項２】
前記前進部材用案内部材（３８）はそれぞれ、前記たわみ前進部材（２２）の一つに隣接し、かつ、前記フレーム（１４）の長手方向に配置され、ワークオペレーションの実行中に前記たわみ前進部材の動きを案内することを特徴とする請求項１に記載のコンベヤ装置。
【請求項３】
少なくとも三つの上記たわみ前進部材（２２）が、少なくとも三つのチェーン（２２）からなることを特徴とする請求項１に記載のコンベヤ装置。
【請求項４】
少なくとも三つの前記チェーン（２２）が、その長さの等しい整合した組であることを特徴とする請求項３に記載のコンベヤ装置。
【請求項５】
少なくとも三つの前記たわみ前進部材（２２）が、少なくとも三つのベルト（２２）からなることを特徴とする請求項１に記載のコンベヤ装置。
【請求項６】
少なくとも三つの前記たわみ前進部材（２２）が、少なくとも三つのケーブル（２２）からなることを特徴とする請求項１に記載のコンベヤ装置。
【請求項７】
前記フレーム（１４）に回転可能に結合され且つフレーム（１４）の長手方向を横切ってのび、そして互いに平行に伸びしかもフレーム（１４）の長手方向の両端に配置される少なくとも二つの軸（３０）を有し、
前記各たわみ前進部材（２２）が前記軸（３０）に作動可能に接続され、
前記軸（３０）の少なくとも一つが、前記制御装置から出された命令に応じて、前記フレーム（１４）の長手方向に沿って前記たわみ前進部材（２２）とたわみ前進部材（２２）に結合した複数のスラット（２４）とを動かす駆動手段に結合されていることを特徴とする請求項１に記載のコンベヤ装置。
【請求項８】
各軸（３０）に少なくとも三つのスプロケット（３４）が結合され、前記スプロケット（３４）のそれぞれが前記チェーン（２２）と駆動係合し、前記制御装置から出された命令に応じて前記フレーム（１４）の長手方向に沿って前記チェーン（２２）を動かす複数の外方向に突起した歯（３６）を有することを特徴とする請求項７に記載のコンベヤ装置。
【請求項９】
少なくとも三つの軸受（３２）が、前記フレーム（１４）に結合され、そして前記軸（３０）のそれぞれが前記軸受（３２）に回転可能に結合されていることを特徴とする請求項７に記載のコンベヤ装置。
【請求項１０】
前記駆動手段が前記軸（３０）の少なくとも一つに結合されたモータを備え、前記モータが前記制御装置から出された命令に応動することを特徴とする請求項７に記載のコンベヤ装置。
【請求項１１】
前記たわみ前進部材（２２）のそれぞれが前記前進部材用案内部材（３８）のそれぞれに隣接して配置され、ワークオペレーションの実行中に前記フレーム（１４）の長手方向に沿って前記たわみ前進部材の動きが指向されることを特徴とする請求項１に記載のコンベヤ装置。
【発明の詳細な説明】
【０００１】
【発明の属する技術分野】
本発明は、概してシート型材料の一以上の層上でワークオペレーションを実行するための装置に関するものであり、特には、コンベヤ上でワーク材料を支持する装置に関し、当該コンベヤは、少なくとも三つのたわみ駆動部材に結合され且つ少なくとも三つのたわみ駆動部材により駆動される連続的に指向された複数の可動スラットで部分的に構成されている。
【０００２】
【従来の技術】
本発明は、特に衣類のパターンピースの製造に利用されるものであり、以下、かかる利用について説明する。通常、衣類のパターンピースは裁断テーブル上でシート型ワーク材料の一以上の層を位置決めすることにより製造される。裁断テーブルに移動可能に装着された裁断ヘッドは、制御装置から出された命令に応じて、ワーク材料の長さ及び幅を横切ってパターンピースを層から裁断する。ワーク材料を位置決めする支持面は通常、コンベヤであり、その一部は裁断テーブルの長手方向に相互に並置し連続して位置決めされた複数のスラットで構成されている。これらのスラットはひとまとめで支持面を形成し、ワークオペレーションの実行中にワーク材料を運搬する構成となっている。
【０００３】
【発明が解決しようとする課題】
従来技術の裁断テーブルでは、各スラットは通常、互いに離間されかつ裁断テーブルに沿って長手方向にのびる一対のチェーンを含むコンベヤ駆動機構に結合されている。当該チェーンは概して、裁断テーブルの両端に装着された回転可能なスプロケットにより駆動される。裁断テーブルは大きな生地幅に適合するようにできるだけ広く構成されているので、スラットがチェーン間でたわむ傾向にある。これにより、ワーク材料を支持する面は平坦ではなく反ってしまい、パターンピースが不正確に裁断され製造されてしまう可能性がある。
【０００４】
裁断作業が完了すると、ワーク材料は通常、裁断テーブルから当該技術の当業者から“テイクオフテーブル”と呼ばれるものに移される。裁断テーブルからテイクオフテーブルへの移送に適応させるために、複数の指状伸長部からなる傾斜面がテイクオフテーブルから裁断テーブルへと伸びている。支持されていないスラットの大部分に関連する問題点としては、スラットが過度にたわみ、“跳ね上がり”を起こす傾向にあり、それにより傾斜面とスラットとの間を開閉する隙間を生じさせてしまう。これにより、ワーク材料はテイクオフテーブルの上ではなく、かかる隙間内に誤送され、その結果、裁断パターンピースを損傷させることになる。
【０００５】
上記の支持されていないスラット部分に関連する別の問題点としては、スラットが裁断テーブルに沿って動く際に、相互に重なり合う、いわゆる“覆瓦作用（シングリング）”と呼ばれる現象が生じることにある。この現象が生じると、裁断作業の完全な状態が損なわれ、しかもパターンピースの製作にかかる時間と価格に加えて、裁断テーブルの稼働が中断されることになる。
【０００６】
上記より鑑みて、本発明の目的は、従来技術の裁断テーブルに関する上記欠点を解決するコンベヤ裁断テーブルを提供することにある。
【０００７】
本発明のさらに特定の目的としては、より広いコンベヤ裁断テーブルを提供することにあり、かかる裁断テーブルでは、従来の裁断テーブルによるたわみやシングリングの問題なしに、スラット及びワーク材料が適切に駆動され、ワークオペレーションの実行中、支持されることになる。
【０００８】
【課題を解決するための手段】
本発明は、フレームと、フレームの長手方向に動くようにフレームに結合された少なくとも三つのたわみ前進部材とを有するシート型材料の一以上の層上でワークオペレーションを実行するための装置である。たわみ前進部材はほぼ平行であり、そして互いに離間されている。
【０００９】
複数の細長いスラットは、相互に連続して配置され、そしてフレームを横切ってのびている。各スラットは、ワークオペレーションの実行中、ワーク材料を運搬する支持面を集合的に構成している。制御装置から出された命令に応じて、フレームの長手方向に、たわみ前進部材及びそれらに結合したスラットを選択的に動かす駆動手段が設けられている。フレームには少なくとも三つのたわみ前進部材用の案内部材が複数配設され、これらの案内部材はフレームに沿って長手方向に伸張している。前進部材用の案内部材の各々には、スラットを支持する上方面が形成され、それによりスラットが直接支持され、スラットの前進時にスラットが相互に重なり合ったりシングリングが生じるのを防止することができる。
【００１０】
好ましい実施の形態においては、たわみ前進部材は、少なくとも三つのチェーンからなり、好ましくはフレームを横切ってのび且つフレームの両端に回転可能に結合されほぼ平行で離間した少なくとも二つの軸に結合する整合された組（セット）からなる。軸の少なくとも一つは、動作中にその軸を選択的に回転させ制御装置から出された命令に応じて、フレームの長手方向に、チェーン及びそれらに取付けられたスラットを選択的に動かす駆動手段に結合される。好ましくは、各軸はフレームに順次装着される少なくとも三つの軸受に回転可能に結合される。
【００１１】
また、少なくとも六つのスプロケットが設けられ、これらスプロケットのうち三つのスプロケットは、各軸受に隣接して各軸に結合され、チェーンと係合し駆動させる。さらに、各案内部材は、一端を軸の一つに装着されたスプロケットの一つに隣接させ、反対端を他方の軸に装着された相応したスプロケットに隣接させて位置決めされている。
【００１２】
【発明の実施の形態】
図１に裁断テーブル１０として示すコンベヤ装置は、シート型ワーク材料１２の一以上の層においてワークオペレーションを実行するように構成されている。
【００１３】
裁断テーブル１０は、フレーム１４を有し、フレーム１４には細長い支持体１６が装着されている。支持体１６は、機械読取り可能な裁断データを記憶している制御装置から出力された命令に従ってフレームの長手方向に前後に動くようにフレーム１４を横切ってのびている。裁断ヘッド１８には、裁断手段２０が取付けられており、裁断ヘッド１８は制御装置から出力された命令に従って支持体１６に沿って前後に動くように支持体１６に装着されている。
【００１４】
フレーム１４には、三つのたわみ前進部材２２がフレーム１４の長手方向に動くよう互いに離間して結合されている。またフレーム１４の長手方向に、チェーンすなわち前進部材２２を駆動するモータ等の駆動手段（図示しない）が適宜に設けられている。チェーン２２は、その長さがほぼ等しい整合した組（セット）であることが好ましい。たわみ前進部材２２は、チェーンとして説明してきたが、本発明はこれに限定されるものではなく、本発明の広義の概念から逸脱することなく歯付きベルトやケーブルのような他の形式の前進部材に代えることができる。
【００１５】
フレーム１４の長手方向に、互いに連続させて複数のスラット２４が設けられ、各スラットは第一上面部２６及びたわみ前進部材２２の各々に結合された第二下面部２８を有している。スラット２４の第一上面部２６は、ひとまとめになつてシート型ワーク材料１２の一以上の層を運搬する支持面２８を構成している。
【００１６】
ワークオペレーションの実行中、チェーン２２の動きに応じて、スラット２４及びスラット２４上に支持された全てのワーク材料は、制御装置から出力された命令に応じてフレーム１４の長手方向に動くように構成される。
【００１７】
図１を参照に説明すると、二つの細長い軸３０は、各々、三つのローラー型軸受３２（一つの軸に対して二つの軸受のみ示されている）に回転自在に結合され、軸受３２はフレーム１４に順次装着されている。軸３０は互いにほぼ平行であり、フレーム１４を横切ってのび、そしてフレーム１４の両端に位置決めされ、軸受３２は各軸に沿って互いにほぼ等しく離間されて配置される。軸３０の一つにはモータが結合されており、制御装置から出力された命令に応じて選択的に回転させることができる。各軸３０には、三つのスプロケット３４が取付けられており、各スプロケットは軸受３２の一つに隣接して位置決めされ、そして複数の外方に突出した歯３６を有している。各チェーン２２は、軸３０の一つに装着した一つのスプロケット３４の歯３６及び他方の軸３０に装着した対応するスプロケットの歯と駆動係合する。従って、チェーン２２は軸３０，３０間にのびる構成となっている。
【００１８】
フレーム１４には、三つの前進部材用の案内部材３８が取付けられており、これらの案内部材３８は、フレーム１４の長手方向にのびている。各案内部材３８はチェーン２２の一つに隣接して配置され、動作中チェーンの動きを指向するために軸３０，３０間の距離分のびている。さらに、各前進部材用の案内部材３８は、ワークオペレーションの実行中にスラット２４の第二下面部を支持するよう位置決めされる上方面４０を有している。
【００１９】
動作において、ワーク材料１２の一以上の層は、スラット２２の第一上面部２６によりひとまとめに構成される支持面２８上に位置決めされる。モータは、制御装置から出力された命令に応じて選択的に付勢され、そしてモータに結合される軸３０を回転させる。軸３０の回転により、三つのチェーン２２及びこれらチェーンに取付けられたスラット２４はフレームの長手方向に駆動され、それにより、裁断ヘッド１８及び支持体１６がワーク材料１２に沿って裁断手段２０を動かしながら、スラットで支持されたワーク材料を前後に動かし、制御装置に記憶された機械読取り可能な裁断データに従って、ワーク材料における裁断作業が行われる。
【００２０】
好ましい実施の形態について図示し説明してきたが、本発明の精神及び範囲から逸脱することなく種々変形及び変更することができる。従って本発明は、限定的にではなく例により説明されてきたと理解されるべきである。
【図面の簡単な説明】
【図１】本発明の実施の形態である裁断テーブルの部分斜視図であり、複数の連続したスラットで部分的に構成されるコンベヤを、裁断テーブルの長手方向にスラットを動かす三つのたわみ駆動部材を現すために破断して示した図である。
【符号の説明】
１０  裁断テーブル
１２  シート型ワーク材料
１４  フレーム
１６  支持体
１８  裁断ヘッド
２０  裁断手段
２２  たわみ前進部材
２４  スラット
２６  第一上面部
２８  第二下面部（支持面）
３０  軸
３２  ローラー型軸受
３４  スプロケット
３６  歯
３８  前進部材用案内部材
４０  上方面
【図１】
0003618590.tif 000002